(57)【特許請求の範囲】
【請求項１】
カード搬送部とカード集積部からなり、前記カード搬送部により個別に搬送されるカード媒体を前記カード集積部に装着されたカード収納箱に積み重ねて格納する箱詰め作業を行うカード箱詰め装置において、
箱詰め対象となるカード媒体は、カード媒体の表面に光学読み取りできるカード識別情報が設けられ、かつ、カード媒体ごとに個別のデータが書込まれる非接触ＩＣカードであって、
前記カード箱詰め装置は、前記カード媒体と前記カード収納箱の正しい組合せを表わす箱詰め管理情報を保持する箱詰め管理手段と、
前記カード媒体の表面に記録されているカード識別情報を光学読み取りするカード読取り手段と、
前記カード読取り手段で読取ったカード識別情報をキーとして対応するエンコード情報を当該カード媒体に書込む非接触リーダライタと、
前記カード集積部に装着されたカード収納箱に記録されている箱識別情報を読取る箱読取り手段と、を有し、
前記管理手段は、前記カード識別情報と箱識別情報を、前記箱詰め管理情報と照合することにより前記箱詰め作業の適否を判定することを特徴とするカード箱詰め装置。
【請求項２】
前記カード識別情報は、前記カード媒体の表面に記録されたバーコードであることを特徴とする請求項１記載のカード箱詰め装置。
【請求項３】
前記箱識別情報は、前記収納箱に貼付されたＩＣタグに記録された識別情報であることを特徴とする請求項１または２記載のカード箱詰め装置。
【発明の詳細な説明】
【技術分野】
【０００１】
本発明は、物品を収納箱に箱詰めする箱詰め装置に関し、特に、所定の箱に所定の物品が収納されることが照合できる箱詰め装置に関する。
【背景技術】
【０００２】
携行に便利なカード型媒体は、銀行やクレジットなどの金融カードを始め、社員証や交通カード、さらにポイントカードに至るまで、様々な用途で活用されている。昨今は、カードの内部にＩＣチップを埋め込んだＩＣカードの普及が著しく、カードを用いたサービスは高度化、広範化の一途をたどっている。
【０００３】
ＩＣカードのような高機能カードの製造は、一般に厳格な管理の下で行われる。特に、ＩＣへのデータの書込み（エンコードと呼ぶ）は、ＩＣカードの製造工程の最終工程であり、カードごとに個別のデータが書込まれ、これらデータは機密度の高いものであるため特に厳重に管理されている。エンコードされたカードは、エンコード内容や外観など各種検査を経て、仕向け先ごとに箱詰めされ、厳封されて出荷される。したがって、箱詰めの段階では混入や過不足などの事故はあってはならず、いかに確実に事故を避けるかが大きな課題となっている。
【０００４】
特許文献１は、カードの磁気情報やハガキ等の印字状態を検査する検査装置に関する発明であり、これら被検査物を検査した後に搬送部から回収し集積するスタッカー等の機構について述べている。
【先行技術文献】
【特許文献】
【０００５】
【特許文献１】特開２０００−３２７１５５号公報
【０００６】
このようにカードの搬送、集積を行う機構は、同文献が示すような検査装置に限らず、例えばＩＣカード製造の分野であれば、エンコード、エンコード検査、外観検査など多岐にわたり用いられる。ところが、ＩＣカードの場合、ＩＣに書込まれた内容は外観からは判別できないため、箱と中身の確実な照合が容易でなく、製品管理上の大きな問題となっている。
【発明の概要】
【発明が解決しようとする課題】
【０００７】
そこで本発明は、ＩＣカード等のエンコードや検査に用いるカード箱詰め装置において、箱と箱詰めされたカード等との照合が可能なカード箱詰め装置を提供することを課題とする。
【課題を解決するための手段】
【０００８】
本発明のカード箱詰め装置は、以下の各態様により上記課題を解決した。
本発明の第一の態様は、カード搬送部とカード集積部からなり、前記カード搬送部により個別に搬送されるカード媒体を前記カード集積部に装着されたカード収納箱に積み重ねて格納する箱詰め作業を行うカード箱詰め装置において、箱詰め対象となるカード媒体は、カード媒体の表面に光学読み取りできるカード識別情報が設けられ、かつ、カード媒体ごとに個別のデータが書込まれる非接触ＩＣカードであって、前記カード箱詰め装置は、前記カード媒体と前記カード収納箱の正しい組合せを表わす箱詰め管理情報を保持する箱詰め管理手段と、前記カード媒体の表面に記録されているカード識別情報を光学読み取りするカード読取り手段と、前記カード読取り手段で読取ったカード識別情報をキーとして対応するエンコード情報を当該カード媒体に書込む非接触リーダライタと、前記カード集積部に装着されたカード収納箱に記録されている箱識別情報を読取る箱読取り手段と、を有し、前記管理手段は、前記カード識別情報と箱識別情報を、前記箱詰め管理情報と照合することにより前記箱詰め作業の適否を判定することを特徴とする。
【０００９】
本発明の第二の態様は、前記第一の態様において、前記カード識別情報は、前記カード媒体の表面に記録されたバーコードであることを特徴とする。
本発明の第三の態様は、前記第一または前記第二の態様において、前記箱識別情報は、前記収納箱に貼付されたＩＣタグに記録された識別情報であることを特徴とする。
【発明の効果】
【００１０】
本発明のカード箱詰め装置によれば、非接触ＩＣカードを所定のカード収納箱に収納する際に、カード収納箱とその中身である非接触ＩＣカードとの照合が確実に行えるとともに、当該カードごとに個別データの書込みも行える。
【図面の簡単な説明】
【００１１】
【図１】本発明のカード箱詰め装置の構成を示す図
【図２】カード媒体の態様を示す図
【図３】カード収納箱の態様を示す図
【図４】本発明のカード箱詰め装置の制御部の機能ブロック図
【図５】照合用テーブルの態様を示す図
【発明を実施するための形態】
【００１２】
図１は、本発明のカード箱詰め装置の構成図である。
カード箱詰め装置１は、カード搬送部１２、カード集積部１４を持ち、カードフィード部（図示せず）から一枚毎に分離されて供給されるカード媒体１３を搬送し、所定の工程を経て、積み重ね、カード収納箱１５に格納する。
カード媒体１３には個々のカードを識別するためのカード識別情報が記録されており、またカード収納箱１５にはＩＣタグ１９が貼付され、ＩＣタグ１９には個々のカード収納箱１５を識別するための箱識別情報が記録されている。
【００１３】
図１の構成は、搬送部１２にカード読取り手段として光学読取り部１６と、ＩＣカードの読取り／書込みを行う非接触リーダライタ１７を備え、カード集積部１４にタグリーダ１８を備えた構成例である。
制御部１１は、カード搬送部１２、カード集積部１４の制御を担うが、また、光学読取り部１６、非接触リーダライタ１７、およびタグリーダ１８などの付帯機器と情報の授受を行い、これら情報を元に所定の処理を行う箱詰め管理手段としての役割をも担う。制御部１１は、また、操作部１１１、表示部１１２を始めとする入出力手段を持ち、操作者や外部装置と情報の授受を行う。
【００１４】
なお、カード箱詰め装置１は、目的に応じて様々な形態で利用されるが、検査装置として利用するのであれば、不良と判定したカードを取り除くための不良排出部２０を持つことが望ましい。
【００１５】
図２は、カード媒体（以降、単にカードと呼ぶ）の態様を表わし、図２（ａ）は、非接触ＩＣカードであり、図２（ｂ）は、バーコードが記録されたカードである。
ＩＣカード２１は、データを保持し、各種演算を行うＩＣチップ２２と、外部との通信のためのアンテナ２３を内蔵しており、アンテナ２３はリーダライタ１７と無線通信により情報の授受を行う。
カード２５は、カードの表面にカード識別情報が記録された例であり、カード２５の表面にはバーコード２６が印字されている。この場合、光学読取り部１６によりバーコード２６のコードパターンを読み取る。
【００１６】
図３は、カード収納箱の態様を表わす。図３（ａ）は空の状態の収納箱であり、図３（ｂ）はカード１３が収納された状態、図３（ｃ）は蓋３１と組み合わされ封印材３２により封止された状態である。
また、カード収納箱１５には、同収納箱がカード集積部１４に装着された際にタグリーダ１８と対向する位置にＩＣタグ１９が貼付されている。
【００１７】
図４は、本発明のカード箱詰め装置の制御部の機能ブロック図である。
入出力部４０は、操作部１１１、表示部１１２などを介して操作者と情報の授受を行うとともに、外部装置とのデータの共有化や連動のための情報の授受を行う。外部装置とは、例えば、カード製造工程の工程や印字／エンコードデータの管理を行う上位の生産管理システム、あるいは上流の生産装置などである。
付帯機器制御部４１は、光学読取り部１６、非接触リーダライタ１７、タグリーダ１８などの付帯機器を制御しデータの授受を行う。また、機構制御部４３は、カード搬送部１２、カード集積部を始めとする各機構を制御する。
データ処理部４２は、入出力部４０や付帯機器制御部４１を介して授受した情報を元に、カード箱詰め装置１全体を制御するための情報を生成する。
【００１８】
記憶部４５は、データ処理部４２が扱うデータ類を格納する。このようなデータ類としては、カード情報と箱情報の正しい組合せを表わす照合用データや、カード箱詰め装置１の作業の過程で発生する中間データなどがある。記憶部４５には、また、カード箱詰め装置１が動作するために必要とするプログラムやパラメータなどが格納される。
なお、照合用データとは、少なくともカード識別情報と箱識別情報とが関連付けられ予め記憶部４５に格納されたものであり、データ処理部４２が光学読取り部１６、非接触リーダライタ１７、タグリーダ１８から得られるデータ（読み取ったカード識別情報、箱識別情報）を照合用データと照合することにより、カードの正否を判別する。
【００１９】
図５は、照合用データを照合用テーブルの形で表わしたものである。
図５に示す照合用テーブル５０は、管理ＩＤ、カードＩＤ、箱ＩＤ等が関連付けられて記憶部４５に格納されている。このうち、カードＩＤ５２、箱ＩＤ５３はそれぞれ上述のカード識別情報、箱識別情報に対応するものである。管理ＩＤ５１は、作業管理のための識別情報であり、例えば品目やカード記載内容に関連付けられて割り振られた情報である。エンコード情報５４は、ＩＣカード発行の場合にはＩＣに書込む情報であり、エンコード情報そのものであったり、エンコード情報を指すポインタであったりする。
なお、ＩＣカード２１のチップ２２にはＩＣカードの製造段階で製造記号が重複なく埋め込まれているため、この製造記号をカードＩＤとして用いることができる。
【００２０】
本発明のカード箱詰め装置１は、目的に応じて様々な形態で利用されるが、例えば、エンコード検査装置としての利用であれば、カード１３は既にカードＩＤやエンコード情報がエンコード（書込み）されたカードであり、非接触リーダライタ１７はカード１３からカードＩＤとエンコード情報を読み取る。そして、データ処理部４２は、読取ったカードＩＤと予め記憶部４５に格納されている照合用テーブル５０のカードＩＤ５２とを照合することにより正否の判定を行い、さらにカードＩＤ５２をキーとして、読み取ったエンコード情報と照合用テーブル５０のエンコード情報５４と照合することによりエンコード情報の検査を行う。このとき、カード集積部１４に装着されたカード収納箱１５の箱識別情報は、記憶部４５に格納されている箱ＩＤ５３と照合されており、カード１３が正当なカード収納箱１５に収納されることが確認される。
【００２１】
本発明のカード箱詰め装置１は、また、エンコード装置としても利用できる。その場合は、非接触リーダライタ１７を用いてカードＩＤ５２に対応するエンコード情報５４を書込む。このとき、上記エンコード検査装置としての利用の場合と同様に、照合用テーブル５０を参照することによりカード１３が正当なカード収納箱１５に収納されることが確認される。
【００２２】
カード箱詰め装置１を外観検査装置として利用するのであれば、光学読取り部１６を画像取込みカメラとし、表面の絵柄を撮像することで外観検査を行う。この場合、個々のカードは、同時に読み取ったバーコード２６を復号することにより個々のカードの識別が可能となる。すなわち、バーコード２６に予め管理ＩＤを埋め込んでおけば、読み取った管理ＩＤと照合用テーブル５０によりカード１３が正当なカード収納箱１５に収納されることが確認される。なお、光学読取り部１６をバーコードリーダーとしてバーコードのみを読み取ることとしてもよい。
【００２３】
また、例えばカード１３の絵柄に合わせてエンコードを行うような場合、光学読取り部１６で読み取ったバーコードをキーとしてエンコード情報５４を選び出し、これを非接触リーダライタ１７を用いて書込むこともできる。このようなエンコード手法は、個別の絵柄とエンコード情報のマッチングが取れるので、社員証や学生証などの作成に特に有効である。
【００２４】
以上、説明したように、本発明のカード箱詰め装置は、「箱」と「中身」の照合が確実に行えるので、エンコード装置や検査装置として用いると特に有用である。
【符号の説明】
【００２５】
１  カード箱詰め装置
１１  制御部
１２  カード搬送部
１３  カード
１４  カード集積部
１５  カード収納箱
１６  光学読取り部
１７  非接触リーダライタ
１８  タグリーダ
１９  ＩＣタグ
２１  ＩＣカード
５０  照合用テーブル
【図１】
0005838785.tif 000002
【図２】
0005838785.tif 000003
【図３】
0005838785.tif 000004
【図４】
0005838785.tif 000005
【図５】
0005838785.tif 000006